(57)【要約】【課題】飲食する時に、それぞれ別々に飲料が充填包装されたカップ容器とスナック食品等が収納されたトレー容器を一体として使用でき、これによりワンハンドで持った状態での飲食を可能とした複合容器を提供することにある。【解決手段】本発明は、カップ容器本体と該カップ容器本体の開口部をシールするカップ蓋体とからなるカップ容器の上側に有底のトレー容器を取り付けてカップ容器とトレー容器を一体とした複合容器であって、カップ蓋体の一部をストローの差し込みのために露出させて一体とした形状としたことを特徴とする複合容器であり、接着する方法、あるいは、嵌合する方法でカップ容器とトレー容器を一体としている。【選択図】図１
2005247378.tif 000002
【特許請求の範囲】
【請求項１】
カップ容器本体と該カップ容器本体の開口部をシールするカップ蓋体とからなるカップ容器の上側に有底のトレー容器を取り付けて前記カップ容器と前記トレー容器を一体とした複合容器であって、
前記カップ蓋体の一部をストローの差し込みのために露出させて一体とした形状としたことを特徴とする複合容器。
【請求項２】
前記トレー容器が開口部にフランジ部を有し、該フランジ部にストローを通すための孔が設けられていることを特徴とする請求項１に記載の複合容器。
【請求項３】
前記トレー容器が開口部にフランジ部を有し、該フランジ部にストローを保持するための凹部が設けられていることを特徴とする請求項１に記載の複合容器。
【請求項４】
前記カップ容器と前記トレー容器を接着して前記カップ容器と前記トレー容器を一体としたことを特徴とする請求項１乃至３のいずれかに記載の複合容器。
【請求項５】
前記カップ容器と前記トレー容器を嵌合して前記カップ容器と前記トレー容器を一体としたことを特徴とする請求項１乃至３のいずれかに記載の複合容器。
【請求項６】
前記トレー容器の底部に凹部を設け、該凹部に前記カップ容器の上部を嵌合して前記カップ容器と前記トレー容器を一体としたことを特徴とする請求項５に記載の複合容器。
【請求項７】
前記トレー容器に脚部を設け、該脚部の凹部に前記カップ容器の上部を嵌合して前記カップ容器と前記トレー容器を一体としたことを特徴とする請求項５に記載の複合容器。
【請求項８】
前記カップ容器が開口部にフランジ部を有し、該フランジ部を延設して保持部を設け、該保持部に前記トレー容器の下部を嵌合して前記カップ容器と前記トレー容器を一体としたことを特徴とする請求項５に記載の複合容器。
【発明の詳細な説明】
【技術分野】
【０００１】
本発明は、飲料を入れるためのカップ容器とスナック食品等を入れるためのトレー容器を一体として使用する複合容器に関するものである。
【背景技術】
【０００２】
一般に、ドーナッツ、フライドポテト、フランクフルト等のスナック食品を販売する店頭では、これらに合わせてジュースやコーラなどの清涼飲料を始めとして各種の飲料を取り扱っている。そして、通常飲料とこれらのスナック食品はそれぞれ紙カップ等のカップ容器とトレー容器に別々入れた状態で購入者に手渡され、購入者は別々の状態のまま、カップ容器の飲料を飲み、トレー容器のスナック食品を食している。
【０００３】
上記したように、従来は飲料とスナック食品の入った容器が別々になっているため、両方を一度に持って飲んだり食べたりするのが難しく、例えば歩きながら飲食したり、車を運転しながら飲食すること等ができないという問題点があった。この問題点を解決するために、飲料の入ったカップ容器の上に側壁部に凹部を設けたトレー容器を載置し、その凹部にストローを挿入してカップ容器の飲料を飲むことができ、同時に、トレー容器のスナック食品等を食すことができる組み合わせ容器（複合容器）が提案されている（例えば、特許文献１参照。）。
【特許文献１】実公昭６１−５６２４１号公報
【発明の開示】
【発明が解決しようとする課題】
【０００４】
しかしながら、上記の複合容器では、カップ容器が内容物を収納してカップ蓋体をシールした形状に対応したものではなく、飲料を注いだカップ容器にスナック食品等が入ったトレー容器を上に載置した形状であり、消費者が、飲料を充填包装したカップ容器とスナック食品等を収納したトレー容器を別々に購入して、飲食する時に、カップ容器とトレー容器を一体とした複合容器とする形状ではなかった。また、生産者が予めカップ容器に飲料を充填し、食品の入ったトレー容器とセットにして流通させてスーパーや小売店で販売する形状ではなかった。
【０００５】
本発明は、上記のような問題点に鑑みてなされたものであり、その目的とするところは、飲食する時に、それぞれ別々に飲料が充填包装されたカップ容器とスナック食品等が収納されたトレー容器を一体として使用でき、これによりワンハンドで持った状態での飲食を可能とした複合容器を提供することにある。
【課題を解決するための手段】
【０００６】
上記目的を達成するために、本発明は、カップ容器本体と該カップ容器本体の開口部をシールするカップ蓋体とからなるカップ容器の上側に有底のトレー容器を取り付けて前記カップ容器と前記トレー容器を一体とした複合容器であって、前記カップ蓋体の一部をストローの差し込みのために露出させて一体とした形状としたことを特徴とする複合容器である。また、前記トレー容器が開口部にフランジ部を有し、該フランジ部にストローを通すための孔、あるいは、該フランジ部にストローを保持するための凹部が設けられていることを特徴とする。
【０００７】
また、本発明の複合容器において、前記カップ容器と前記トレー容器を一体とするには、前記カップ容器と前記トレー容器を接着する方法、前記カップ容器と前記トレー容器を嵌合する方法があり、後者の嵌合する方法としては、前記トレー容器の底部に凹部を設け、該凹部に前記カップ容器の上部を嵌合する方法、あるいは、トレー容器に脚部を設け、該脚部の凹部に前記カップ容器の上部を嵌合する方法がある。さらに、前記カップ容器が開口部にフランジ部を有し、該フランジ部を延設して保持部を設け、該保持部に前記トレー容器の下部を嵌合する方法があることを特徴としている。
【発明の効果】
【０００８】
本発明の複合容器によれば、カップ蓋体の一部をストローの差し込みのために露出させて一体とした形状であることから、露出した部分にストローを差し込むことができるので、ワンハンドで持った状態でカップ容器内の飲料を飲んだり、残りの手でトレー容器内のスナック食品を摘んで食べることができるという効果を有する。また、カップ容器内の飲料は、カップ蓋体で密封シールされているため飲料の流通および長期間保存が可能となる。
【０００９】
また、トレー容器が開口部にフランジ部を有し、該フランジ部にストローを通すための孔、あるいは、該フランジ部にストローを保持するための凹部が設けられていることから、カップ容器に差し込んだストローを保持することができ、飲み易く、飲用途中でストローが脱落することがなく、使い易い複合容器を提供することができる。
【００１０】
また、カップ容器とトレー容器を嵌合して一体化する複合容器では、内容物が収納されたカップ容器とトレー容器は別々にスタックした状態で店頭等で販売できる。その時は、好みの組み合わせのカップ容器とトレー容器をそれぞれ選択することができ、実際に飲食する時に、カップ容器とトレー容器を嵌合して一体とし、ストローをカップ容器のカップ蓋体の露出した部分に差し込みカップ容器の内容物を飲用することができ、同時に、トレー容器の内容物を食することができる。従って、ワンハンドでカップ容器を把持した状態で、それぞれに収納された内容物の飲食が可能となる。
【発明を実施するための最良の形態】
【００１１】
図１は本発明に係る複合容器の一実施例を示す斜視図であり、図２は図１に示す複合容器を構成するカップ容器とトレー容器を示すの分解斜視図であり、図３は本発明に係る複合容器を構成するトレー容器の別の例を示す斜視図であり、図４は本発明に係る複合容器を構成するトレー容器のさらに別の例を示す斜視図であり、図５は本発明に係る複合容器を構成するカップ容器とトレー容器を一体とする方法を示す一部切り欠け平面図であり、図６は本発明に係る複合容器を構成するカップ容器とトレー容器を一体とする別の方法を示す一部切り欠け平面図である。
【００１２】
図１に示されるように本発明の複合容器１は、下側となるカップ容器２の上側に、トレー容器３を取り付けて一体化したものであり、カップ容器２のカップ蓋体２Ｂの一部をストローＳを差し込むことができるように露出させてカップ容器２とトレー容器３を一体とした形状である。
【００１３】
下側のカップ容器２は、図２−ａに示すように、カップ容器本体２Ａとカップ蓋体２Ｂとからなり、カップ容器本体２Ａは、紙カップあるいはポリプロピレン、ポリエチレン、ポリエチレンテレフタレート、ポリスチレン等の樹脂からなるプラスチックカップであり、上部の開口部２１であるトップカール部あるいはフランジ部においてカップ蓋体２Ｂをシールした形状である。
【００１４】
一方、上側のトレー容器３は、図２−ｂに示すように、有低のトレー形状のトレー容器本体３Ａとトレー蓋体３Ｂとからなり、トレー容器本体３Ａは底部３１から上方に向けて広がるように側壁部３２と開口部にフランジ部３３を備え、フランジ部３３にトレー蓋体３Ｂをシールしている。このトレー容器本体３Ａは、ポリプロピレン、ポリエチレンテレフタレート、ポリ塩化ビニル、ポリスチレン、その他バリアー性を持った多層シート等の樹脂シートを真空成形又は圧空成形により、図２−ｂに示す形状に成形加工することができる。あるいは、ポリプロピレン、ポリエチレン、ポリエチレンテレフタレート、ポリスチレン等の樹脂を用いて射出成形により成形加工することができる。
【００１５】
なお、カップ容器本体２Ａおよびトレー容器本体３Ａの材料として、フィラー（珪酸マグネシウム、炭酸カルシウム、クレー等）を含有する樹脂を使用することができる。このフィラーを含有する樹脂の成形品を使用することにより、廃棄後の焼却処分が容易となる。
【００１６】
本発明の複合容器１では、カップ容器２の上側に、トレー容器３を取り付けてカップ容器２とトレー容器３を一体化した形状であり、その際、カップ容器本体２Ａの開口部２１を封じるために設けたカップ蓋体２Ｂの一部を露出させ、その露出した部分にストローＳを差し込める形状としている。このような形状とするために、トレー容器本体３Ａの底部３１が、カップ容器本体２Ａの開口部２１の形状に対して一部が欠けた形状としている。本例では、図２−ｂに示すように、円形の一部が弓状に欠けた形状としている。
【００１７】
本例以外の形状として、図３に示すように、凹状に欠けた形状等とすることができ、すなわち、トレー容器３の側壁部３２に縦方向に窪んだストローＳを通すための凹部３２ａを設けた形状とすることができる。
【００１８】
また、トレー容器本体３Ａの一部が欠けた部分に突出したフランジ部３３に、図４−ａに示すように、ストローＳを差し込んで保持する孔３３ａを設けた形状、あるいは、図４−ｂに示すように、ストローＳを保持する凹部３３ｂを設けた形状とすることができる。このように、トレー容器本体３Ａのフランジ部３３に孔３３ａあるいは凹部３３ｂを設けることによって、カップ容器２に差し込んだストローＳを保持することができ、飲み易く、飲用途中でストローＳが脱落することがなく、使い易い複合容器１とすることができる。
【００１９】
つぎに、カップ容器２の上側にトレー容器３を取り付けてカップ容器２とトレー容器３を一体化する方法について詳しく説明する。
【００２０】
第一の方法は、接着タイプであり、カップ容器２のカップ蓋体２Ｂの面にトレー容器３のトレー容器本体３Ａの底部３１の外面を貼り合わせる方法である。公知のホットメルト型接着剤等の接着剤、粘着剤あるいは両面テープ等を使用して接着することができる。
【００２１】
第二の方法は、嵌合タイプであり、図５−ａに示すように、トレー容器本体３Ａの底部３１に凹部を設け、その凹部にカップ容器２の上部を勘合して固定してカップ容器２とトレー容器３を一体化する方法である。この方法では、図５−ｂに示すように、トレー容器本体３Ａの下部に脚部３４を設けた形状とし、その脚部３４の内側にカップ容器２の上部を勘合して固定してカップ容器２とトレー容器３を一体化することもできる。
【００２２】
第三の方法は、嵌合タイプであり、図６−ａに示すように、カップ容器本体２Ａの開口部２１（フランジ部）を上方に延設して嵌合部２２を設け、その嵌合部２２にトレー容器本体３Ａの下部を嵌合して固定してカップ容器２とトレー容器３を一体化する方法である。この方法では、図６−ｂに示すように、カップ容器本体２Ａの上部に部分的に保持部を設けた形状とし、その嵌合部２２の内側にトレー容器本体３の下部を勘合して固定してカップ容器２とトレー容器３を一体化することもできる。
【００２３】
実際に、この複合容器に収納された内容物を食する方法を説明する。第一の方法でカップ容器２とトレー容器３が接着により一体化された複合容器１では、カップ容器２とトレー容器３のそれぞれに内容物が収納され、一体化された状態で販売されるが、第二の方法あるいは第三の方法でカップ容器２とトレー容器３が嵌合により一体化された複合容器１では、内容物が収納されたカップ容器２とトレー容器３は別々にスタックした状態で店頭等で販売される。そして、好みの組み合わせのカップ容器２とトレー容器３をそれぞれ選択することができ、実際に飲食する時に、カップ容器２とトレー容器３を嵌合して一体とし、ストローＳをカップ容器２のカップ蓋体２Ｂの露出した部分に差し込みカップ容器２の内容物を飲用することができ、同時に、トレー容器３の内容物を食することができる。従って、いずれの方法でカップ容器２とトレー容器３を一体化した複合容器１においては、ワンハンドでカップ容器２を把持した状態で、それぞれに収納された内容物の飲食が可能となる。
【００２４】
さらに、トレー容器本体３Ａのフランジ部３３に孔３３ａを設けた形状では、フランジ部３３に設けた孔３３ａにストローＳを通して保持することができ、あるいは、トレー容器本体３Ａのフランジ部３３に凹部３３ｂを設けた形状では凹部３３ｂによりストローＳを保持することができ、ストローＳを飲食途中で段落させることもなく安心して飲食することができる。
【実施例】
【００２５】
つぎに、上記に本発明について以下に具体例をあげて詳しく説明する。
まず、カップ容器本体として、プロピレン樹脂を使用して射出成形により、開口部の首下の径が６７ｍｍ、底部の外径が５４ｍｍ、高さが１０５ｍｍで、開口部にフランジ部を備え、底部に脚部を備えるプラスチックカップを作製した。このカップ容器本体に飲料としてジュースを充填した後、アルミニウム３０μｍ／イージーピールフィルム３０μｍの材料構成からなるカップ蓋体を用いてフランジ部で密封シールして、下側となるカップ容器を作製した。
【００２６】
つぎに、トレー容器本体として、ポリプロピレン０．２５ｍｍ／エバール２０μｍ／ポリプロピレン０．２５ｍｍの材料構成からなるプラスチックシートを使用して真空成形により、開口部の首下の径が９２ｍｍ、底部の外径が８２．５ｍｍ、高さが４０ｍｍで、側壁部に凹部を設け、その凹部の上部のフランジ部にストロー孔を設けたプラスチックトレーを作製した。このトレー容器本体の底部には凹部を設け、その凹部の側壁はアンダーカットとし、嵌合したカップ容器が簡単には脱落しない形状とした。このトレー容器本体にスナック食品を収納した後、アルミ蒸着ポリエチレンレテフタレート１２μｍ／イージーピールフィルム３０μｍの材料構成からなるトレー蓋体を用いてフランジ部で密封シールして、上側となるトレー容器を作製した。
【００２７】
これらのジュースを充填したカップ容器とスナック食品を収納したトレー容器を別々にしセットで販売した。実際に、飲食する時に、トレー容器の底部にカップ容器を嵌合して一体とした複合容器とし、トレー容器の一部が欠けた部分において、カップ容器の一部が露出し、その部分にストローを突き刺し、ジュースを飲むことができた。同時に、トレー容器のスナック食品を食することができた。これによりワンハンドで持った状態での飲食が可能であった。
【図面の簡単な説明】
【００２８】
【図１】本発明に係る複合容器の一実施例を示す斜視図である。
【図２】図１に示す複合容器を構成するカップ容器とトレー容器を示すの分解斜視図である。
【図３】本発明に係る複合容器を構成するトレー容器の別の例を示す斜視図である。
【図４】本発明に係る複合容器を構成するトレー容器のさらに別の例を示す斜視図である。
【図５】本発明に係る複合容器を構成するカップ容器とトレー容器を一体とする方法を示す一部切り欠け平面図である。
【図６】本発明に係る複合容器を構成するカップ容器とトレー容器を一体とする別の方法を示す一部切り欠け平面図である。
【符号の説明】
【００２９】
１    複合容器
２    カップ容器
２Ａ  カップ容器本体
２Ｂ  カップ蓋体
２１    開口部
２２    嵌合部
３    トレー容器
３Ａ  トレー容器本体
３Ｂ  トレー蓋体
３１    底部
３２    側壁部
３２ａ  凹部
３３    フランジ部
３３ａ  孔
３３ｂ  凹部
３４    脚部
Ｓ    ストロー
【図１】
2005247378.tif 000003
【図２】
2005247378.tif 000004
【図３】
2005247378.tif 000005
【図４】
2005247378.tif 000006
【図５】
2005247378.tif 000007
【図６】
2005247378.tif 000008